(57)【要約】      （修正有）【課題】法肩より流れ込む雨水等の水により、法面の浸食・崩壊が起る水の流を手軽に低額な費用で防止することが可能な流水止ブロック体を提供する。【解決手段】下部より順にポリエチレン性平織シート、ポリエステル性不織布の順に重ねて底部を形成し、その上に軽量で保水力が高いココヤシピート５０％、泥炭３０％、水苔２０％の混合土に芝種子、肥料を添加した人工土壌を４センチ厚で敷き詰め、圧縮して２ｃｍ厚に形成し、その上にポリエステル性不織布、ポリエチレン性平織シートの順に重ねて上部を形成し、底部と上部が一体化し人工土壌の体内移動を抑え、構造体を堅持するように所定間隔で縫製して帯状マット体７を形成し、この帯状マット体７の外部を形成しているポリエチレン性平織シート部に任意間隔で結束バンド６を取り付け、この帯状マット体７を丸太状に折り丸め、結束バンド６にて結束する。【選択図】図３
0003214426.tif 000002
【実用新案登録請求の範囲】
【請求項１】
下部より順にポリエチレン性平織シート、ポリエステル性不織布の順に重ね、その上に人工土壌（ココピート５０％、ピートモス３０％、水苔２０％の混合土に芝種子、肥料を添加した人工土壌）を４センチ厚で敷き詰め、その上にポリエステル性不織布、ポリエチレン性平織シートの順に重ね、圧縮して厚さ２ｃｍ・幅４５ｃｍ・長さ２ｍの帯状マット体に縫製し、長手方向一片部に任意間隔で結束バンドが形成されたことを特徴とする流水止ブロック体。
【考案の詳細な説明】
【技術分野】
【０００１】
本考案は、盛土・切土が形成された造成裸地法面において、法肩部から流れ込む雨水等による浸食・崩壊を防止する流水防止ブロック体に関するものである。
【背景技術】
【０００２】
新設道路や団地造成等により、造成された盛土・切土の裸地法面は、緑化等で法面が保護されるまでに、法肩より雨水や融雪水が法面に流れ込むことによって法面が浸食され、法面崩壊の危険や景観の悪化をまねくといった事態が起きている。そこで、法肩部から法面に流れ込む水を防止するために、植生土のう袋や枕土のう袋等の土のう袋に土を詰め込み、法肩部に並べて法面に流れ込む水を堰き止める方法や特許文献１に記載の始めから法面に水路溝を設け、この水路溝内にメッシュタイプの型枠を立設し、モルタルもしくはコンクリートを吹き付けて水路を構築する方法が行われている。
【０００３】
しかし、植生土のう袋や枕土のう袋等を用いて、法肩よりに流れ込む雨水等の水を堰き止めるには、現場で土のう袋に土を詰め込み、１袋当たり十数ｋｇの重さとなる土のう袋を法肩まで荷揚げ設置することは重労働であるとともに斜面での荷揚げ作業は、事故の発生するおそれがある。また、特許文献１の方法は、法肩等への止水・泥止に好適な方法であるが水路構築には大掛かりな工事と費用がかかるといった問題がある。  
【先行技術文献】
【特許文献】
【０００４】
【特許文献１】特開２００１−１２３４５７号広報
【考案の概要】
【考案が解決しようとする課題】
【０００５】
本考案は、上記の問題を解決すべく盛土・切土の裸地法面の法肩より流れ込む水による法面の浸食・崩壊を手軽に安価な費用で防止することが可能な流水止ブロック体の提供。
【課題を解決するための手段】
【０００６】
本考案者は、上記課題を検討した末、下部より順にポリエチレン性平織シート、ポリエステル性不織布の順に重ねて底部を形成し、その上に軽量で保水力が高い人工土壌（ココピート、ピートモス、水苔の混合土に芝種子、肥料を添加した人工土壌）を４センチ厚で敷き詰め、圧縮して２ｃｍ厚に形成し、その上にポリエステル性不織布、ポリエチレン性平織シートの順に重ねて上部を形成し、底部と上部が一体化し人工土壌の体内移動を抑え構造体を堅持するように所定間隔で縫製して幅４５ｃｍ長さ２ｍの帯状マット体を形成する。
【０００７】
この帯状マット体を形成している外部のポリエチレン性平織シート部の長手方向一片部に任意間隔で結束バンドを取り付けて結束バンド付帯状マット体とし、この結束バンド付帯状マット体を設置個所の法にて、丸太状に折り丸め付帯の結束バンドにて結束固定し、法肩に並べて法面へ流れ出す水・泥を堰き止める流水止ブロック体とする。
【考案の効果】
【０００８】
人工土壌を内包した流水止ブロック体は、破損しにくく耐候性に優れたシートで形成しているので腐食しにくく長期間原形を保ち、流れ込む水・泥による法面の浸食・崩壊を長期間防除する。また、従来の土を詰め込んだ土のう袋より、重さが数Ｋｇと軽量なので法肩等への運搬や設置が容易に行へ、法肩より法面に流れ込む降雨や融雪水等の水や泥の流出を防止して裸地法面の浸食防止を手軽に安価な価格で防止できる。
【図面の簡単な説明】
【０００９】
【図１】帯状マット体の構成を示す断面図である。
【図２】結束バンド付帯状マット体を示す斜視図である。
【図３】流水止ブロック体を示す斜視図である。
【図４】法肩に流水止ブロック体を敷設した状態を示す説明図である。
【考案を実施するための形態】
【００１０】
以下、図面を参照して本考案の具体的な実施形態を詳述する。
【実施例】
【００１１】
以下、図面に従って説明する。
図１は、軽量で保水力が高い人工土壌層を入れて５層から構成された流水止ブロック体の構成を示す断面図である。構成は下部より順にポリエチレン性平織シート２、ポリエステル性不織布３の順に重ねて底部を形成し、その上に人工土壌４（ココピート５０％、ピートモス３０％、水苔２０％の混合土に芝種子、肥料を添加した人工土壌）を４ｃｍ厚で敷き詰め圧縮して２ｃｍ厚に形成し、その上にポリエステル性不織布３、ポリエチレン性平織シート２の順に重ねて上部を形成し、底部と上部が一体化し人工土壌の体内移動を抑え構造体を堅持するように所定間隔で縫製５して幅４５センチ長さ２メートルの帯状マット体１を形成する。
【００１２】
流水止ブロック体を形成する上記帯状マット体は、材質をすべて腐植しにくい材質と内包される人工土壌が流失しない程度のメッシュ状シートで構成されており、特に外部を構成しているポリエチレン性平織シートは、紫外線劣化防止剤を添加し耐候性に優れた黒色の耐候性シートで形成されており、長期間腐食することなく形状が保持されます。
【００１３】
図２は、上記の図１で形成された帯状マット体１外部のポリエチレン性平織シート２の長手方向一片部に任意間隔で結束バンド６を取り付けて結束バンド付帯状マット体７とした斜視図である。この結束バンド付帯状マット体は、図１で説明したように軽量で保水力が高い人工土壌層を腐植しにくい材質で内包した結束バンド付帯状マット体であり、現場となる斜面上部の法肩への運搬、及び流水止ブロック体としての組立・設置が手軽に行える結束バンド付帯状マット体である。
【００１４】
図３は、図２で形成された結束バンド付帯状マット体７を丸太状の流水止ブロック体８に形成した斜視図である。当該流水止ブロック体８は、設置個所となる法肩等で結束バンド付帯状マット体７を縦長の丸太状に折り丸め、図１で説明した帯状マット体の外部に図２で説明した結束バンド６を用いて結束固定して丸太状の流水止ブロック体８に形成し雨水等の水が流れ込む法肩等に設置するする。
【００１５】
なお、当該流水止ブロック体は軽量な混合人工土壌を工場内でマット内部に内蔵されており、従来のように重たい土を現場で詰め込むことなく、法肩等への運搬・設置が容易であり、短期間で安価に施工が完了することができる流水止ブロック体ある。また、人工土壌と芝種子を内包しているシートは水で溶けることなく破損しにくく耐候性に優れたシートで形成しているので腐食しにくく長期間原形を保ち、法肩を長期間緑化保護します。
【００１６】
図４は、丸太状に形成された流水止ブロック体８を法肩に配置した状態を示す説明図である。当該流水止ブロック体８は、流水止ブロック体を形成しているマット内に軽量で保水力が高い混合人工土壌が内蔵された軽量な流水止ブロック体８であり、法肩９への運搬や設置等の取扱いが容易で内蔵されている人工土壌は、吸水力と保水力が高く法肩９に並べられた流出防止ブロック体８は、雨水等の水分を吸水及び保水して自重の数倍の重さとなり、法肩９に流れ込む降雨や融雪水等の水や泥の流出を堰き止めて裸地法面１０の浸食防止が図られる。
【産業上の利用可能性】
【００１７】
軽量で取扱が容易な流水止ブロック体は、道路や団地造成等で造成された盛土・切土の裸地法面が緑化等で保護される間の水・泥による浸食を防止する浸食防止資材としてこれから大いに利用される可能性の高いものである。
【符号の説明】
【００１８】
１  帯状マット体
２  ポリエチレン性平織シート
３  ポリエステル性不織布
４  人工土壌
５  縫製
６  結束バンド
７  結束バンド付帯状マット体
８  流水止ブロック体
９  法肩
１０  裸地法面
【図１】
0003214426.tif 000003
【図２】
0003214426.tif 000004
【図３】
0003214426.tif 000005
【図４】
0003214426.tif 000006
【手続補正書】
【提出日】平成29年9月26日(2017.9.26)
【手続補正１】
【補正対象書類名】実用新案登録請求の範囲
【補正対象項目名】請求項１
【補正方法】変更
【補正の内容】
【請求項１】
下部より順にポリエチレン性平織シート、ポリエステル性不織布の順に重ね、その上に人工土壌（ココヤシピート５０％、泥炭３０％、水苔２０％の混合土に芝種子、肥料を添加した人工土壌）を４センチ厚で敷き詰め、その上にポリエステル性不織布、ポリエチレン性平織シートの順に重ね、圧縮して厚さ２ｃｍ・幅４５ｃｍ・長さ２ｍの帯状マット体に縫製し、長手方向一片部に任意間隔で結束バンドが形成されたことを特徴とする流水止ブロック体。
【手続補正書】
【提出日】平成29年11月8日(2017.11.8)
【手続補正１】
【補正対象書類名】実用新案登録請求の範囲
【補正対象項目名】請求項１
【補正方法】変更
【補正の内容】
【請求項１】
下部より順にポリエチレン性平織シート、ポリエステル性不織布の順に重ね、その上にココヤシピート５０％、泥炭３０％、水苔２０％の混合土に芝種子、肥料を混ぜた人工土壌を４センチ厚で敷き詰め、その上にポリエステル性不織布、ポリエチレン性平織シートの順に重ね、圧縮して厚さ２ｃｍ・幅４５ｃｍ・長さ２ｍの帯状マット体に縫製し、長手方向一片部に任意間隔で結束バンドが形成されたことを特徴とする流水止ブロック体。